(57)【要約】【課題】印肉ケースの回動及びロックを簡素な機構により実現する。【解決手段】印鑑Ｓを収容する内側スリーブ１０と、その外周の外側スリーブ２０と、印肉ケース４０を回動可能に支持する支持ケース３０とを備える。弾性部材５０によって内側スリーブ１０は支持ケース３０を介して外側スリーブ２０に対して軸方向一端側へ付勢される。印肉ケース４０が印鑑Ｓの印面ｔに当接した作用状態Ｕで、支持ケース３０の一端を押印する面に当てて外側スリーブ２０を一端側へ向かって押すと、印肉ケース４０が印鑑Ｓの印面ｔから離反し、つぎに、外側スリーブ２０に設けた突条２１の一端２１ａによって印肉ケース４０が押圧されて、カム溝３１とカム軸４１との作用によって、印肉ケース４０は前退避位置Ｒへ回動する。その後、突条２１の側面２１ｂによって印肉ケース４０が退避位置Ｒに維持されるので、同一の突条２１によって印肉ケース４０の回動及びロックが可能である。【選択図】図２
2013010349.tif 000002
【特許請求の範囲】
【請求項１】
印鑑（Ｓ）を収容する内側スリーブ（１０）と、前記内側スリーブ（１０）の外周に軸方向へ相対移動可能に設けられた外側スリーブ（２０）と、前記印鑑（Ｓ）の印面（ｔ）に顔料を付与する印肉ケース（４０）を回動可能に支持する支持ケース（３０）とを備え、前記内側スリーブ（１０）の外周に弾性部材（５０）を配置し、その弾性部材（５０）によって前記内側スリーブ（１０）は前記支持ケース（３０）を介して前記外側スリーブ（２０）に対して軸方向一端側へ付勢され、
前記印肉ケース（４０）が前記印鑑（Ｓ）の印面（ｔ）に当接した作用状態で、前記支持ケース（３０）の軸方向一端を押印する面に当てて前記外側スリーブ（２０）を軸方向一端側へ向かって押すと、前記内側スリーブ（１０）と前記支持ケース（３０）とは前記印鑑（Ｓ）とともに前記外側スリーブ（２０）に対して軸方向他端側へ相対移動し且つその相対移動に伴って前記印肉ケース（４０）が前記印鑑（Ｓ）の印面（ｔ）から軸方向一端側へ離反し、
さらに、前記外側スリーブ（２０）を軸方向一端側へ向かって押すと、前記外側スリーブ（２０）に軸方向に沿って設けた前記突条（２１）の一端（２１ａ）によって前記印肉ケース（４０）が前記支持ケース（３０）に対して軸方向一端側へ押圧されて、その支持ケース（３０）と印肉ケース（４０）の一方に設けたカム溝（３１）と他方に設けたカム軸（４１）との作用によって前記印肉ケース（４０）が前記支持ケース（３０）に対して軸心から離れる方向へ回動した退避位置（Ｒ）へ至り、前記内側スリーブ（１０）に設けた当接部（１２）が前記外側スリーブ（２０）に設けたストッパ部（２８）に当接して前記内側スリーブ（１０）は前記外側スリーブ（２０）に対して軸方向他端側へ相対移動不能となり、
さらに、外側スリーブ（２０）を軸方向一端側へ向かって押すと、前記外側スリーブ（２０）とともに前記内側スリーブ（１０）が前記支持ケース（３０）に対して軸方向一端側へ相対移動し、前記突条（２１）の側面（２１ｂ）によって前記印肉ケース（４０）が前記退避位置（Ｒ）に維持され、前記印鑑（Ｓ）の印面（ｔ）が前記押印する面に当接可能であることを特徴とする印鑑ケース。
【請求項２】
前記カム溝（３１）は前記支持ケース（３０）に設けられ、前記カム軸（４１）は前記印肉ケース（４０）に設けられており、前記カム軸（４１）が、前記外側スリーブ（２０）に設けた軸方向への長孔（２４）に入り込むことで、前記外側スリーブ（２０）と前記支持ケース（３０）との軸方向への相対移動がガイドされていることを特徴とする請求項１に記載の印鑑ケース。
【発明の詳細な説明】
【技術分野】
【０００１】
この発明は、印肉ケースと印鑑とをともに収容でき、その印肉ケースが印鑑の印面に顔料を付与し、手で持って紙等の押印しようとする面に押し付けるだけで、その印鑑で何度も押印が可能な印鑑ケースに関するものである。
【背景技術】
【０００２】
印肉ケースと印鑑とをともに収容でき、その印肉ケースが印鑑の印面に顔料を付与し、手で持って紙等の押印しようとする面に押し付けるだけで、その印鑑で何度も押印が可能な印鑑ケースが用いられる。
【０００３】
この種の印鑑ケースとして、例えば、図８に記載されたものがある。この印鑑ケースＣは、印鑑Ｓを収容する内側スリーブ１と、その内側スリーブ１の外周に軸方向へ相対移動可能に設けられた外側スリーブ２とを備える。また、印肉ケース４を回動可能に支持し、その印肉ケース４を、印鑑Ｓの印面に当接しその印面ｔに顔料を付与する作用位置Ｕと、印面ｔから離反した退避位置Ｒとの２つ位置に回動させることができる支持ケース３を備えている。印肉ケース４は、相互に噛み合う複数組のカム溝とカム軸の組合わせからなるカム機構９によって、支持ケース３に対して前記作用位置Ｕと前記退避位置Ｒとの間での回動が可能となっている。
【０００４】
静止位置（前記作用位置Ｕにあって、押印する面に対して外側スリーブ２を押さない状態）において、内側スリーブ１の上端部外面と、外側スリーブ２の上端部内面との間に、その外側スリーブ２が内側スリーブ１に対して上下動可能な空間ｈが形成されている。
【０００５】
また、内側スリーブ１と外側スリーブ２との間には、上向き受座６ａと下向き受座６ｂとを有する受け部材６が設けられている。受け部材６の下向き受座６ｂと、支持ケース３の上端に設けられた上向き受座３ａとの間に、コイルバネからなる第一弾性部材５が配置されている。
また、内側スリーブ１の上端外周部に設けた下向き受座１ｂと、受け部材６の上向き受座６ａとの間に、やや小径で長さの短いコイルバネからなる第二弾性部材７が配置されている。
【０００６】
印肉ケース４が、前記作用位置Ｕにある印鑑ケースＣの静止位置において、受け部材６に作用する第一弾性部材５からの押圧弾性により、第二弾性部材７がある程度圧縮された状態となっている。ここで、外側スリーブ２を高さｈだけ押し下げると、受け部材６が外側スリーブ２と共に下動し、第二弾性部材７が自由状態に伸長する。また、第一弾性部材は圧縮される。
【０００７】
さらに、外側スリーブ２を押し下げると、その外側スリーブ２の上部内面の段部２ａが内側スリーブ１の肩段部１ａに当接し、第一弾性部材５を圧縮させながら内側スリーブ１が外側スリーブ２と共に下動する。このとき、第一弾性部材５が内側スリーブ１の外周面の凹所８から外れる際の振動が、いわゆるクリック感として操作する指に伝えられ、その後押印の行程に移行することを体感させる。
【０００８】
そして、さらなる外側スリーブ２の下動により、前記カム機構９の作用により、印肉ケース４が、印鑑ケースの軸心から外れた位置に向かって外方へ回動し、前記退避位置Ｒに至る。カム機構９は、相互に噛み合う第一のカム溝９ａとそれに噛み合う第一のカム軸９ｂ、第二のカム溝９ｃととれに噛み合う第二のカム軸９ｄの組合わせからなる。第一のカム溝９ａは支持ケース３に、第一のカム軸９ｂは印肉ケース４に設けられている。また、第二のカム溝９ｃは支持ケース３と外側スリーブ２のそれぞれに、カム軸９ｄは印肉ケース４に設けられている。
このカム機構９の作用によって、印肉ケース４は、支持ケース３に対して前記作用位置Ｕと前記退避位置Ｒとの間での回動が可能で、且つ、押印中は前記退避位置Ｒへロックされるようになっている。
【０００９】
印肉ケース４が前記退避位置Ｒに至った後、さらに、外側スリーブ２を下動させると、第一弾性部材５はさらに圧縮され、外側スリーブ２と内側スリーブ１とは、印鑑Ｓとともに、その印鑑Ｓの印面ｔが押印しようとする面に当接するまで下動して押印が終了する。
【００１０】
押印が終了した後、外側スリーブ２を持ったまま、印鑑ケースＣを押印した部分から離すと、印鑑ケースＣの各部部材は、押印時の逆の行程に沿って作動し、元の状態に復帰する。このとき、自由状態に伸長している第二弾性部材７の弾性力が、外側スリーブ２の上昇を阻止しようとする力となって作用する。このため、第一弾性部材５が受け部材６を介して第二弾性部材７を縮めようとすることで、第一弾性部材５の反発力によって印肉ケース４が勢いよく印鑑Ｓの印面ｔに当たることを防止している（例えば、特許文献１，２参照）。
【先行技術文献】
【特許文献】
【００１１】
【特許文献１】特開２００３−１８２１９９号公報
【特許文献２】特開平１０−２５０２０７号公報
【発明の概要】
【発明が解決しようとする課題】
【００１２】
上記図８に示す印鑑ケースＣでは、印肉ケース４を回動させるために、相互に噛み合う第一のカム溝９ａと第一のカム軸９ｂ、第二のカム溝９ｃと第二のカム軸９ｄの組合わせからなるカム機構９を用いている。このカム機構９によって、支持ケース３に対して印肉ケース４を前記作用位置Ｕと前記退避位置Ｒとの間での回動が可能で、且つ、押印中は前記退避位置Ｒへロックされるようになっている。
【００１３】
このように、印肉ケース４の回動及びロックのために、２つのカム軸、カム溝を用いていることから、その構造が複雑である。
【００１４】
そこで、この発明は、支持ケース３に対する印肉ケース４の前記作用位置Ｕと前記退避位置Ｒとの間の回動、及び、前記退避位置Ｒでのロックを、簡素な機構により実現することを課題とする。
【課題を解決するための手段】
【００１５】
上記の課題を解決するために、この発明は、印鑑を収容する内側スリーブと、前記内側スリーブの外周に軸方向へ相対移動可能に設けられた外側スリーブと、前記印鑑の印面に顔料を付与する印肉ケースを回動可能に支持する支持ケースとを備え、前記内側スリーブの外周に弾性部材を配置し、その弾性部材によって前記内側スリーブは前記支持ケースを介して前記外側スリーブに対して軸方向一端側へ付勢され、前記印肉ケースが前記印鑑の印面に当接した作用状態で、前記支持ケースの軸方向一端を押印する面に当てて前記外側スリーブを軸方向一端側へ向かって押すと、前記内側スリーブと前記支持ケースとは前記印鑑とともに前記外側スリーブに対して軸方向他端側へ相対移動し且つその相対移動に伴って前記印肉ケースが前記印鑑の印面から軸方向一端側へ離反し、さらに、前記外側スリーブを軸方向一端側へ向かって押すと、前記外側スリーブに軸方向に沿って設けた前記突条の一端によって前記印肉ケースが前記支持ケースに対して軸方向一端側へ押圧されて、その支持ケースと印肉ケースの一方に設けたカム溝と他方に設けたカム軸との作用によって前記印肉ケースが前記支持ケースに対して軸心から離れる方向へ回動した退避位置へ至り、前記内側スリーブに設けた当接部が前記外側スリーブに設けたストッパ部に当接して前記内側スリーブは前記外側スリーブに対して軸方向他端側へ相対移動不能となり、さらに、外側スリーブを軸方向一端側へ向かって押すと、前記外側スリーブとともに前記内側スリーブが前記支持ケースに対して軸方向一端側へ相対移動し、前記突条の側面によって前記印肉ケースが前記退避位置に維持され、前記印鑑の印面が前記押印する面に当接可能であることを特徴とする印鑑ケースとした。
【００１６】
この構成によれば、印肉ケースは、外側スリーブに設けた軸方向の突条の一端に押されることで、カム機構の作用によって、支持ケースに対して作用位置と退避位置との間で回動することができる。また、その退避状態において、印肉ケースは、その回動に用いた突条の側面によって、作用位置側へ戻らないように維持（ロック）される。
このように、同じ突条によって、印肉ケースの回動とロックが可能であり、装置の構成を簡素化することができる。
【００１７】
また、この構成において、前記カム溝は前記支持ケースに設けられ、前記カム軸は前記印肉ケースに設けられており、前記カム軸が、前記外側スリーブに設けた軸方向への長孔に入り込むことで、前記外側スリーブと前記支持ケースとの軸方向への相対移動がガイドされている構成を採用することができる。
【００１８】
この構成によれば、印肉ケースが退避位置になった後において、印肉ケースを支持する支持ケースと外側スリーブとの軸方向相対移動がガイドされる。
このように、印肉ケースの回動とロックに用いた同じカム軸によって、支持ケースと外側スリーブとのガイドが可能であり、この点においても、装置の構成を簡素化することができる。
【発明の効果】
【００１９】
この発明は、外側スリーブに設けた同一の突条によって、印肉ケースの回動とロックの両方の機能を発揮することができ、装置の構成を簡素化することができる。
【図面の簡単な説明】
【００２０】
【図１】この発明の一実施形態の印鑑ケースを示す全体斜視図
【図２】（ａ）は図１のａ−ａ断面図、（ｂ）は図１のｂ−ｂ断面図
【図３】（ａ）は図２（ａ）のＡ−Ａ断面図、（ｂ）は図２（ａ）のＢ−Ｂ断面図、（ｃ）は図２（ａ）のＣ−Ｃ断面図、（ｄ）は図２（ａ）のＤ−Ｄ断面図、（ｅ）は図２（ａ）のＥ−Ｅ断面図
【図４Ａ】図１の分解斜視図
【図４Ｂ】印肉ケースの詳細を示し、（ａ）は側面図、（ｂ）は背面図、（ｃ）は平面図、（ｄ）は底面図
【図５】内側スリーブ、弾性部材、外側スリーブの詳細を示す分解斜視図
【図６】（ａ）〜（ｃ）は、それぞれ同実施形態の印鑑ケースの作用図
【図７】（ａ）〜（ｃ）は、それぞれ同実施形態の印鑑ケースの作用図
【図８】他の実施形態の印鑑ケースを示す分解斜視図
【図９】図８の詳細を示し、（ａ）は内側スリーブの側面図、（ｂ）は（ａ）のＢ−Ｂ断面図、（ｃ）は印鑑ケースの断面図、（ｄ）は（ｃ）のＤ−Ｄ断面図
【図１０】従来例の印鑑ケースを示し、（ａ）は作用状態を示す断面図、（ｂ）は退避状態を示す断面図
【発明を実施するための形態】
【００２１】
この発明の一実施形態を、図面に基づいて説明する。この実施形態は、印肉ケース４０と認め印などの印鑑Ｓとをともに収容でき、その印肉ケース４０が印鑑Ｓの印面ｔに顔料を付与し、手で持って紙等の押印しようとする面に押し付けるだけで、その印鑑Ｓで何度も押印が可能な印鑑ケース６０である。
【００２２】
この印鑑ケース６０は、図１、図４Ａ及び図５に示すように、印鑑Ｓを収容する内側スリーブ１０と、その内側スリーブ１０の外周に、外側スリーブ２０が配置されている。内側スリーブ１０と外側スリーブ２０とは、一定の範囲で軸方向へ相対移動可能である。
【００２３】
また、顔料を含浸した印肉を備えた印肉ケース４０を回動可能に支持し、その印肉ケース４０を、印鑑Ｓの印面ｔに当接しその印面に顔料を付与する作用位置Ｕと、印面から離反した退避位置Ｒとの２つの位置に回動させることができる支持ケース３０を備えている。
【００２４】
図１及び図２に示すように、静止位置（前記作用位置Ｕにあって、押印する面に対して外側スリーブ２０を押さない状態）において、内側スリーブ１０の軸方向他端側（上部側）の外面と、外側スリーブ２０がその上部に備えるキャップ２６の内面２６ｂとの間に、その外側スリーブ２０が内側スリーブ１０に対して軸方向移動可能な空間ｈが形成されている。キャップ２６は、外側スリーブ２０の本体に対して着脱自在で、キャップ２６の一端２６ａと外側スリーブ２０の肩部２０ｃが密着した状態で、その外側スリーブ２０の軸方向他端側の端部２０ｂに設けた嵌合部２７の凸部２７ｃが、キャップ２６に設けた凹部２６ｃに嵌って抜け止めされるようになっている。
【００２５】
支持ケース３０は、内側スリーブ１０の軸方向一端側（下部側）に配置されている。内側スリーブ１０と支持ケース３０とは、一定の範囲で軸方向へ相対移動可能である。
【００２６】
また、内側スリーブ１０と外側スリーブ２０との間には、コイルバネからなる弾性部材５０が配置されている。弾性部材５０は、その他端５０ｂが、外側スリーブ２０の軸方向他端側の端部２０ｂの内周に設けた受座２２に、一端５０ａが、支持ケース３０の軸方向他端側の端部３０ｂに設けた受座３２に当接するように配置される。
【００２７】
また、支持ケース３０は、その軸方向他端側の端部３０ｂに、軸方向一端側に向くストッパ３６（内向き凸部３０ｃの一部）を有する。このストッパ３６が、内側スリーブ１０の外周に設けた係止部１１に当接することによって、支持ケース３０が内側スリーブ１０に対して、それ以上軸方向一端側へ相対移動することが規制されている。
すなわち、ストッパ３６が内側スリーブ１０の係止部１１に当接していれば、弾性部材５０によって、内側スリーブ１０は支持ケース３０を介して外側スリーブ２０に対して軸方向一端側へ付勢された状態である。
【００２８】
なお、このストッパ３６は、支持ケース３０の内面に設けた軸方向へ伸びる二本の突条からなるガイド３３，３３の内側に嵌って、その軸方向への相対移動が案内されている。
【００２９】
また、内側スリーブ１０の軸方向他端側の端部１０ｂには、雌ネジ部１５が設けられている。この雌ネジ部１５に、雄ネジ部１６ｂと操作部１６ａとを有する位置調節ネジ１６がねじ込まれる。
位置調節ネジ１６の先端１６ｃが、印鑑Ｓの頂部に当接するようになっており、その位置調節ネジ１６のねじ込み量を加減することにより、印鑑Ｓの印面ｔの位置を内側スリーブ１０に対して軸方向に調節できる。なお、この実施形態では、前記空間ｈは、位置調節ネジ１６の操作部１６ａの上面と、キャップ２６の内面２６ｂとの間に相当する。
【００３０】
印肉ケース４０は、顔料を含浸した印肉を収容した印肉収容体４２が本体部４６に着脱可能である。印肉収容体４２と本体部４６とは、本体部４６の底部４０ａに設けたアリ溝４４と、それに嵌るように印肉収容体４２に設けられた断面台形状の係止突条４３とで固定されている。また、その印肉収容体４２の外面に設けたフラット部４２ａが、本体部４６に設けた支持部４２ｂに当接して、がたつきが防止されている。
【００３１】
この印肉ケース４０は、カム機構によって、支持ケース３０に対して前記作用位置Ｕと前記退避位置Ｒとの間での回動が可能となっている。
【００３２】
カム機構は、支持ケース３０に設けられたカム溝３１と、印肉ケース４０の本体部４６が備えるアーム部４５に設けられたカム軸４１とを備える。
【００３３】
カム溝３１は、図４Ａに示すように、軸方向と並行に伸びる直線部３１ａと、その直線部の軸方向一端から前記退避位置Ｒ側に向かう屈曲部３１ｂとを備える。このカム溝３１は、支持ケース３０の軸心を挟んで両側に対向して設けられる。カム溝３１は、軸心を挟んで両側のものが同一の形状、同一の大きさに形成されている。また、その軸方向位置も同一である。
【００３４】
カム軸４１は、軸心を挟んで両側に対向して設けられたアーム部４５の先端にそれぞれ設けられ、外側を向く第一カム軸４１ａと内側を向く第二カム軸４１ｂとを備える。図４Ｂに示すように、第一カム軸４１ａは断面円形の円柱状を成す突起であり、第二カム軸４１ｂは、断面楕円状、又は、矩形の両端に半円を配置したような細長い形状の断面を有する突起である。第一カム軸４１ａと第二カム軸４１ｂは、軸心を挟んで両側のものが同一の形状、同一の大きさに形成されている。また、その軸方向位置も同一である。
【００３５】
第一カム軸４１ａは、外側スリーブ２０に軸方向に並行に設けられた対の長孔２４に収納される。第一カム軸４１ａがその長孔２４内を移動することにより、支持ケース３０及び印肉ケース４０の外側スリーブ２０に対する軸方向への相対移動が案内される。
また、第二カム軸４１ｂは、直線部３１ａから屈曲部３１ｂへ移動することで、印肉ケース４０を、支持ケース３０に対して前記作用位置Ｕから前記退避位置Ｒへと回動させる。また、その第二カム軸４１ｂが、屈曲部３１ｂから直線部３１ａへ移動することで、印肉ケース４０を、支持ケース３０に対して前記退避位置Ｒから前記作用位置Ｕへと回動させる。
【００３６】
この回動は、外側スリーブ２０を軸方向一端側へ（押印しようとする面へ）向かって押した際に、外側スリーブ２０に設けた突条２１によって、印肉ケース４０のアーム部４５が軸方向一端側へ押されることで、及び、その押圧力が解除された際に、前記弾性部材５０による支持ケース３０への軸方向一端側への弾性力（付勢力）によって、それぞれ行われるようになっている。
【００３７】
また、内側スリーブ１０の外面には、軸心を挟んで両側に対向してガイド１４，１４が設けられている。ガイド１４は、軸方向一端側に設けられた凹部１４ｂとそのすぐ他端側に設けられた凸部１４ａ、その凸部１４ａよりも他端側において、軸方向に並行に一定の距離だけ設けられる溝部１４ｃとからなる。溝部１４ｃはフラットな面であるか、又は、内側スリーブ１０の外面に沿う滑らかな円筒面を有する。ガイド１４は、軸心を挟んで両側のものが同一の形状、同一の大きさに形成されている。また、その軸方向位置も同一である。
【００３８】
印鑑ケース６０が前記静止位置にあって、外側スリーブ２０が軸方向一端側へ押圧されると、支持ケース３０の軸方向他端側の端部３０ｂに設けた爪部３４の内向きの凸部３４ａが、凹部１４ｂから離脱し、凸部１４ａを乗り越えて溝部１４ｃに入り込むときの振動を、外側スリーブ２０を掴む手や指へのクリック感として伝達する。また、凸部３４ａが溝部１４ｃに入り込んだ後は、その凸部３４ａが溝部１４ｃ内を軸方向へ移動して、支持ケース３０と外側スリーブ２０との軸方向への相対移動が案内される。
【００３９】
この印鑑ケース６０の作用について説明すると、図２（ａ）（ｂ）に示すように、印肉ケース４０が印鑑Ｓの印面ｔに当接した作用状態で、支持ケース３０の軸方向一端側の端部３０ａを、紙面など押印しようとする面に当てて、外側スリーブ２０を弾性部材５０の弾性力に抗して軸方向一端側へ、すなわち、押印しようとする面に向かって押す。
【００４０】
すると、まず最初に、図６（ａ）から図６（ｂ）に示すように、内側スリーブ１０及び支持ケース３０は、内部に収容した印鑑Ｓとともに外側スリーブ２０に対して軸方向他端側へわずかに相対移動する。すなわち、外側スリーブ２０は、内側スリーブ１０及び支持ケース３０に対して、軸方向一端側へわずかに相対移動する。この相対移動に伴って、第二カム軸４１ｂがカム溝３１の直線部３１ａを屈曲部３１ｂ側へ移動する。このとき、印肉ケース４０に設けたアーム部４５のあご部４５ａが、外側スリーブ２０の内面に軸方向に沿って設けた突条２１の一端２１ａによって押されているので、印肉ケース４０と外側スリーブ２０とは一体に移動する。
【００４１】
この相対移動に伴って、印肉ケース４０が、印鑑Ｓの印面ｔから軸方向一端側へ離反する。この離反により、後述するその後の印肉ケース４０の回動をスムーズにしている。印肉ケース４０が印鑑Ｓの印面ｔに当接していると、印肉ケース４０と印面ｔとの摺動により円滑な回動が阻害されるからである。
【００４２】
さらに、外側スリーブ２０を軸方向一端側へ向かって押すと、図６（ｂ）から図６（ｃ）に示すように、その外側スリーブ２０の突条２１の一端２１ａによって、印肉ケース４０のアーム部４５のあご部４５ａが、支持ケース３０に対して、軸方向一端側へ押圧される。
【００４３】
この押圧により、その支持ケース３０に設けたカム溝３１と、印肉ケース４０に設けたカム軸４１との作用によって、印肉ケース４０が支持ケース３０に対して軸心から離れる方向へ回動し、図７（ａ）（ｂ）に示す状態を経て、図７（ｃ）に示す前記退避位置Ｒへ至る。この回動は、突条２１の一端２１ａによって印肉ケース４０が押されることによって、第二カム軸４１ｂが直線部３１ａから屈曲部３１ｂに入り込むことによって行われる。第二カム軸４１ｂの断面が、カム溝３１に沿う細長い形状であるので、その回動が確実に行われるように案内されている。
【００４４】
また、印肉ケース４０のアーム部４５は、外側スリーブ２０に設けたスリット２５内に入り込む。また、本体部４６は、支持ケース３０に設けた開口３５を通じて、その支持ケース３０の内外に出入りする。このため、回動する印肉ケース４０が外側スリーブ２０と干渉しないようになっている。
【００４５】
このとき、前述の支持ケース３０に設けた爪部３４の内向きの凸部３４ａが、ガイド１４内において、凹部１４ｂから離脱し、凸部１４ａを乗り越えて溝部１４ｃに入り込む。このときの振動が、外側スリーブ２０を掴む手や指へのクリック感として伝達される。また、ほぼ同時に、内側スリーブ１０の軸方向他端側の端部１０ｂに設けた爪部１３の外向きの凸部１３ａが、外側スリーブ２０内に設けた段部２３ａに乗り上げることによっても振動が発生し、その振動が外側スリーブ２０を掴む手や指へのクリック感として伝達されるようにもなっている。これらのクリック感は、印肉ケース４０が退避位置Ｒに至り、以後、印鑑Ｓが押印しようとする面に向かって進出する動作に切り替わることを意味している。
【００４６】
また、このとき、内側スリーブ１０に設けた当接部１２が、外側スリーブ２０に設けたストッパ部２８に当接する。この当接により、内側スリーブ１０は外側スリーブ２０に対して軸方向他端側へ相対移動不能となる。これにより、以後、外側スリーブ２０の軸方向一端側への押圧に伴って、その外側スリーブ２０と内側スリーブ１０とは一体に移動するようになる。
【００４７】
さらに、外側スリーブ２０を軸方向一端側へ向かって押すと、外側スリーブ２０とともに内側スリーブ１０が支持ケース３０に対して軸方向一端側へ相対移動し、印鑑Ｓの印面ｔが徐々に支持ケース３０の軸方向一端側の端部３０ａに近づいていく。
【００４８】
このとき、外側スリーブ２０の突条２１の側面２１ｂによって、印肉ケース４０が前記退避位置Ｒに維持される。すなわち、印肉ケース４０のアーム部４５のあご部４５ａに、突条２１の側面２１ｂが摺動する状態であるので、印肉ケース４０は、この状態では作用位置Ｕ側への回動がロックされている。
【００４９】
このように、支持ケース３０に対する印肉ケース４０の前記作用位置Ｕと前記退避位置Ｒとの間の回動、及び、その退避位置Ｒでのロックを、同一の突条２１によって機能させることができる。また、その印肉ケース４０を回動させるカム機構は、第二カム軸４１ｂとカム溝３１との組合わせからなる１組のカム機構で足り、印鑑ケース６０を簡素な機構とできる。
なお、ここで、第一カム軸４１ａは、後述のように、外側スリーブ２０と支持ケース３０との軸方向への相対移動を案内するものであるので、ここでいう印肉ケース４０回動用のカム機構とはその目的を異にするものである。
【００５０】
印肉ケース４０が前記退避位置Ｒに至った後、さらに、外側スリーブ２０を軸方向一端側へ押すと、弾性部材５０はさらに圧縮され、外側スリーブ２０と内側スリーブ１０とは、印鑑Ｓとともに、その印鑑Ｓの印面ｔが押印しようとする面に当接するまで移動して押印（捺印）が終了する。
【００５１】
このとき、第一カム軸４１ａが、外側スリーブ２０に設けた軸方向への長孔２４に入り込むことで、外側スリーブ２０と支持ケース３０との軸方向への相対移動が案内されている。
【００５２】
押印が終了した後、外側スリーブ２０を持ったまま、印鑑ケース６０を押印した部分から離すと、印鑑ケース６０の各部部材は、押印時の逆の行程に沿って作動し、元の状態に復帰していく。このとき、圧縮状態にある弾性部材５０の弾性力が、外側スリーブ２０を支持ケース３０に対して軸方向他端側へ押圧し、外側スリーブ２０と支持ケース３０との軸方向への相対移動によって、印肉ケース４０は、前記退避状態Ｒから前記作用状態Ｕへと回動する。この回動に際し、印肉ケース４０のアーム部４５のあご部４５ａは、常に、突条２１の側面２１ｂに摺動し、一定の時期までその回動が拘束されているので、弾性部材５０の反発力によって印肉ケース４０が勢いよく印鑑Ｓの印面ｔに当たることを防止している。
【００５３】
他の実施形態を、図８及び図９に示す。この実施形態は、前述の実施形態の構成に加え、内側スリーブ１０に、印鑑Ｓの側面（側周面）を押圧することにより、その印鑑Ｓを動かないように固定する保持手段１７を設けたものである。
【００５４】
保持手段１７の構成について説明すると、図８に示すように、内側スリーブ１０の側面に複数の孔１７ａが設けられている。この実施形態では、孔１７ａは、内側スリーブ１０の軸方向に沿って２箇所に設けられ、その２箇所のそれぞれおいて、軸周り方向に等分方位に４つ並列して設けられている。また、この実施形態では、孔１７ａは、それぞれ軸方向に長辺、軸周り方向に短辺を配置した長方形状である。
【００５５】
その各孔１７ａにおいて、その孔１７ａの軸方向他端側の縁から一端側に向かって突出片１７ｂが設けられている。突出片１７ｂは、内側スリーブ１０の本体と一体に樹脂成形されている。
【００５６】
また、その突出片１７ｂは、孔１７ａの軸方向他端側の縁への接続部である根元部１７ｃと突出側の先端部１７ｄの間の中程部１７ｅにおいて、内側スリーブ１０の軸心に近づくように、円弧状に湾曲している。
【００５７】
このため、内側スリーブ１０内に収容された印鑑Ｓは、その軸方向２箇所において、それぞれ軸周り４方向において突出片１７ｂに摺接する。この摺接により、印鑑Ｓは内側スリーブ１０内にしっかりと保持される。また、内側に湾曲した中程部１７ｅで印鑑Ｓに摺接するので、その印鑑Ｓを傷つけることがない。
【符号の説明】
【００５８】
１  内側スリーブ
２  外側スリーブ
３  支持ケース
４  印肉ケース
５  第一弾性部材
６  受け部材
７  第二弾性部材
８  凹部
９  カム機構
１０  内側スリーブ
１０ａ  端部
１０ｂ  端部
１１  係止部
１２  当接部
１３  爪部
１３ａ  凸部
１４  ガイド
１４ａ  凸部
１４ｂ  凹部
１４ｃ  溝部
１５  雌ネジ部
１６  位置調節ネジ
１６ａ  操作部
１６ｂ  雄ネジ部
１６ｃ  先端
１７  保持手段
１７ａ  孔
１７ｂ  突出片
１７ｃ  根元部
１７ｄ  先端部
１７ｅ  中程部
２０  外側スリーブ
２０ａ  端部
２０ｂ  端部
２０ｃ  肩部
２１  突条
２１ａ  一端
２１ｂ  側面
２２  受座
２３  爪部
２３ａ  段部
２４  長孔
２５  スリット
２６  キャップ
２６ａ  一端
２６ｂ  内面
２６ｃ  凹部
２７  嵌合部
２７ｃ  突部
３０  支持ケース
３０ａ  端部
３０ｂ  端部
３０ｃ  凸部
３１  カム溝
３１ａ  直線部
３１ｂ  屈曲部
３２  受座
３３  ガイド
３４  爪部
３４ａ  凸部
３６  ストッパ
４０  印肉ケース
４０ａ  底部
４１  カム軸
４２  印肉収容体
４２ａ  フラット部
４２ｂ  支持部
４３  係止突条
４４  アリ溝
４５  アーム部
４５ａ  あご部
５０  弾性部材
５０ａ  一端
５０ｂ  他端
【図１】
2013010349.tif 000003
【図２】
2013010349.tif 000004
【図３】
2013010349.tif 000005
【図４Ａ】
2013010349.tif 000006
【図４Ｂ】
2013010349.tif 000007
【図５】
2013010349.tif 000008
【図６】
2013010349.tif 000009
【図７】
2013010349.tif 000010
【図８】
2013010349.tif 000011
【図９】
2013010349.tif 000012
【図１０】
2013010349.tif 000013